(57)【要約】【課題】  絶対精度及び相対精度を容易に高めてスムースな動き（移動）を確保するとともに、小型コンパクト化，省スペース化，軽量化及びコストダウンを図る。【解決手段】  レンズ支持部２と第一支持部４の一部の面同士を面接触させ、一方の面に第一係合ピン１１を起設し、かつ他方の面に第一スリット１２を形成し、第一係合ピン１１に装着した第一スプリング１３によりレンズ支持部２を第一支持部４に圧接させてなる第一ガイド部１４を複数の位置に配して第一ガイド機構３を構成するとともに、第一支持部４と第二支持部６の一部の面同士を面接触させ、一方の面に第二係合ピン１５を起設し、かつ他方の面に第二係合ピン１５が係合する第二スリット１６を形成し、第二係合ピン１５に装着した第二スプリング１７により第一支持部４を第二支持部６に圧接させてなる第二ガイド部１８を複数の位置に配して第二ガイド機構５を構成する。【選択図】  図１
2010097019.tif 000002
【特許請求の範囲】
【請求項１】
投射レンズを支持するレンズ支持部を支持して水平方向又は垂直方向の一方へガイドする第一ガイド機構を有する第一支持部と、この第一支持部を支持して水平方向又は垂直方向の他方へガイドする第二ガイド機構を有する第二支持部と、前記レンズ支持部を移動させる第一移動部と、前記第一支持部を移動させる第二移動部とを備える光学機器のレンズシフト装置において、前記レンズ支持部と前記第一支持部の一部の面同士を面接触させ、前記レンズ支持部又は前記第一支持部の面接触する一方の面に第一係合ピンを起設し、かつ他方の面に前記第一係合ピンが係合する第一スリットを形成し、前記第一係合ピンに装着した第一スプリングにより前記レンズ支持部を前記第一支持部に圧接させてなる第一ガイド部を異なる複数の位置に配することにより前記第一ガイド機構を構成するとともに、第一支持部と第二支持部の一部の面同士を面接触させ、前記第一支持部又は前記第二支持部の面接触する一方の面に第二係合ピンを起設し、かつ他方の面に前記第二係合ピンが係合する第二スリットを形成し、前記第二係合ピンに装着した第二スプリングにより前記第一支持部を前記第二支持部に圧接させてなる第二ガイド部を、異なる複数の位置に配することにより前記第二ガイド機構を構成してなることを特徴とする光学機器のレンズシフト装置。
【請求項２】
前記レンズ支持部，前記第一支持部及び前記第二支持部は、それぞれ平板状の支持盤部により形成することを特徴とする請求項１記載の光学機器のレンズシフト装置。
【請求項３】
前記レンズ支持部及び前記第一支持部は、少なくとも一方に、一部を盛上げて形成した接触部を設けることにより面接触させることを特徴とする請求項２記載の光学機器のレンズシフト装置。
【請求項４】
前記レンズ支持部又は前記第一支持部における第一スリットの周囲に段差によるガイド凹部を設け、このガイド凹部に係合させた係合盤部に前記第一係合ピンを貫通させるとともに、前記第一係合ピンの先端係合部と前記係合盤部間に前記第一スプリングを装着することを特徴とする請求項１，２又は３記載の光学機器のレンズシフト装置。
【請求項５】
前記第一支持部と前記第二支持部は、少なくとも一方に、一部を盛上げて形成した接触部を設けることにより面接触させることを特徴とする請求項２記載の光学機器のレンズシフト装置。
【請求項６】
前記第一支持部又は前記第二支持部における第二スリットの周囲に段差によるガイド凹部を設け、このガイド凹部に係合させた係合盤部に前記第二係合ピンを貫通させるとともに、前記第二係合ピンの先端係合部と前記係合盤部間に前記第二スプリングを装着することを特徴とする請求項１，２又は５記載の光学機器のレンズシフト装置。
【請求項７】
光学機器としてプロジェクタに適用することを特徴とする請求項１〜６のいずれかに記載の光学機器のレンズシフト装置。
【発明の詳細な説明】
【技術分野】
【０００１】
本発明は、プロジェクタ等の光学機器に備える投射レンズを水平方向及び垂直方向にシフトさせるための光学機器のレンズシフト装置に関する。
【背景技術】
【０００２】
一般に、スクリーンに映像を投射するプロジェクタでは、スクリーンの正確な位置に映像を投射する必要があるため、プロジェクタ本体に対して投射レンズの位置を水平方向及び垂直方向へシフトさせて映像位置を調整するレンズシフト装置を搭載している。
【０００３】
従来、この種のレンズシフト装置としては、特許文献１に開示されるレンズシフト機構及び特許文献２で開示されるレンズ移動機構が知られている。特許文献１のレンズシフト機構は、投射レンズが固定されたレンズ台を備え、このレンズ台の一辺は垂直あるいは水平方向の第１のスクリュに係合して該第１のスクリュの駆動装置による回転によって垂直あるいは水平方向に移動し、該第１のスクリュの一端は直交する第２のスクリュに係合して該第２のスクリュの駆動装置の回転によって第１のスクリュの一端が水平あるいは垂直方向に移動することによって投射レンズが二次元的な移動を可能にするとともに、レンズ台は、垂直シフト用レール及び水平シフト用レールにより直接あるいは間接的にガイドされる構成を有している。
【０００４】
また、特許文献２のレンズ移動機構は、画像情報を有する光を投射する投射レンズを内部に備えるレンズ鏡筒を保持するレンズ保持部材と、該レンズ保持部材を光の光軸に対して直交する少なくとも１軸方向に移動自在に案内するレンズ保持部材案内手段と、該レンズ保持部材案内手段を支える固定側支持部材と、レンズ鏡筒に駆動力を付与する駆動力付与手段とを備えたレンズ移動機構であって、レンズ保持部材案内手段は、長手方向に沿って転動体転走面が設けられた軌道部材と、該軌道部材の転動体走面に対応する転動体転走面が設けられて軌道部材と相対運動自在に組み込まれた移動部材と、軌道部材の転動体走面と移動部材の転動体転走面の間に配置された複数の転動体とを備える。軌道部材は、板状素材からなり長手方向に対して直角な断面形状が略コの字形状で幅方向両内側に転動体転走面が設けられたアウタレールであり、また、移動部材は板状素材からなり長手方向に対して直角な断面形状が略コの字形状で幅方向両外側に転動体転走面が設けられたインナレールであり、転動体の各々を回転自在に保持する転動体保持器を備えている。
【特許文献１】特開２００５−１７３４６０号公報
【特許文献２】特開２００５−２８４１３０号公報
【発明の開示】
【発明が解決しようとする課題】
【０００５】
しかし、プロジェクタに搭載する従来のレンズシフト装置は、次のような問題点があった。
【０００６】
第一に、レンズを水平方向及び垂直方向にシフトさせるガイド機構は、水平方向及び垂直方向に沿って一対のレール或いはスクリュを配設する必要があるため、スムースな動き（移動）を確保するには、精密部品及び高い組立精度が要求され、部品コスト及び組立コストの双方のコストアップを強いられるとともに、精密部品及び組立精度が確保されない場合には、摩擦抵抗（接触抵抗）の増加によりスムースな動きの確保が困難となる。
【０００７】
第二に、レールやスクリュ等の比較的大型の部品が必要になるとともに、これらを組付ける配設スペースが必要になることから装置の大型化及び重量アップを招く。また、精密性が要求される故に経時変化等により不良が生じやすいなど、長期使用に対する信頼性及び安定性に難がある。
【０００８】
本発明は、このような背景技術に存在する課題を解決した光学機器のレンズシフト装置の提供を目的とするものである。
【課題を解決するための手段】
【０００９】
本発明は、投射レンズＬを支持するレンズ支持部２を支持して水平方向Ｆｈ又は垂直方向Ｆｖの一方へガイドする第一ガイド機構３を有する第一支持部４と、この第一支持部４を支持して水平方向Ｆｈ又は垂直方向Ｆｖの他方へガイドする第二ガイド機構５を有する第二支持部６と、レンズ支持部２を移動させる第一移動部７と、第一支持部４を移動させる第二移動部８とを備える光学機器Ｐのレンズシフト装置１を構成するに際して、レンズ支持部２と第一支持部４の一部の面同士を面接触させ、レンズ支持部２又は第一支持部４の面接触する一方の面に第一係合ピン１１を起設し、かつ他方の面に第一係合ピン１１が係合する第一スリット１２を形成し、第一係合ピン１１に装着した第一スプリング１３によりレンズ支持部２を第一支持部４に圧接させてなる第一ガイド部１４を、異なる複数の位置に配することにより第一ガイド機構３を構成するとともに、第一支持部４と第二支持部６の一部の面同士を面接触させ、第一支持部４又は第二支持部６の面接触する一方の面に第二係合ピン１５を起設し、かつ他方の面に第二係合ピン１５が係合する第二スリット１６を形成し、第二係合ピン１５に装着した第二スプリング１７により第一支持部４を第二支持部６に圧接させてなる第二ガイド部１８を、異なる複数の位置に配することにより第二ガイド機構５を構成してなることを特徴とする。
【００１０】
この場合、発明の好適な態様により、レンズ支持部２，第一支持部４及び第二支持部６は、それぞれ平板状の支持盤部２１，２２，２３により形成することができる。また、レンズ支持部２及び第一支持部４は、少なくとも一方に、一部を盛上げて形成した接触部２ｃと４ｃｆを設けることにより面接触させることができる。さらに、レンズ支持部２又は第一支持部４における第一スリット１２の周囲に段差によるガイド凹部１２ｓを設け、このガイド凹部１２ｓに係合させた係合盤部２４に第一係合ピン１１を貫通させるとともに、第一係合ピン１１の先端係合部２５と係合盤部２４間に第一スプリング１３を装着することができる。他方、第一支持部４と第二支持部６は、少なくとも一方に、一部を盛上げて形成した接触部４ｃｒ，６ｃを設けることにより面接触させることができる。また、第一支持部４又は第二支持部６における第二スリット１６の周囲に段差によるガイド凹部１６ｓを設け、このガイド凹部１６ｓに係合させた係合盤部２６に第二係合ピン１５を貫通させるとともに、第二係合ピン１５の先端係合部２７と係合盤部２６間に第二スプリング１７を装着することができる。なお、光学機器ＰとしてプロジェクタＰｏに適用することが望ましい。
【発明の効果】
【００１１】
このような構成を有する本発明に係る光学機器Ｐのレンズシフト装置１によれば、次のような顕著な効果を奏する。
【００１２】
（１）  一方の面に起設する係合ピン１１（１５），他方の面に形成して係合ピン１１（１５）が係合するスリット１２（１６）及び係合ピン１１（１５）に装着してレンズ支持部２と第一支持部４（第一支持部４と第二支持部６）を圧接させるスプリング１３（１７）とを有するガイド部１４（１８）を異なる複数の位置に配して第一ガイド機構３（第二ガイド機構５）を構成するため、複数のスリット１２…（１６…）は、同一面内に一体形成可能となる。したがって、スリット１２（１６）の長さは必要な移動ストローク分のみで足りるとともに、絶対精度及び相対精度を容易に高めることができ、ガイド機構全体のスムースな動き（移動）を確保できる。
【００１３】
（２）  基本的には、係合ピン１１（１５），スリット１２（１６）及びスプリング１３（１７）により構成できるため、少ない部品点数及び小型部品で足りる。したがって、装置の小型コンパクト化、組付に係わる省スペース化、さらには軽量化を実現できるとともに、部品コスト及び組立コストの双方のコストダウンを図ることができる。また、スプリング１３（１７）によりレンズ支持部２を第一支持部４に（第一支持部４を第二支持部６に）圧接させるため、ガタ付き等の不良が生じにくく、長期使用に対する信頼性及び安定性を高めることができる。
【００１４】
（３）  好適な態様により、レンズ支持部２及び第一支持部４を、少なくとも一方に、一部を盛上げて形成した接触部２ｃと４ｃｆを設けることにより面接触させるようにすれば、必要部位のみが面接触するため、レンズ支持部２と第一支持部４間の摩擦抵抗（接触抵抗）の低減化により、よりスムースな動き（移動）を確保できる。
【００１５】
（４）  好適な態様により、レンズ支持部２又は第一支持部４における第一スリット１２の周囲に段差によるガイド凹部１２ｓを設け、このガイド凹部１２ｓに係合させた係合盤部２４に第一係合ピン１１を貫通させるとともに、第一係合ピン１１の先端係合部２５と係合盤部２４間に第一スプリング１３を装着するようにすれば、レンズ支持部２に対して、ガタ付きやフラ付きの生じにくい、より安定したガイド性能を確保できる。
【００１６】
（５）  好適な態様により、第一支持部４と第二支持部６を、少なくとも一方に、一部を盛上げて形成した接触部４ｃｒ，６ｃを設けることにより面接触させるようにすれば、必要部位のみが面接触するため、第一支持部４と第二支持部６間の摩擦抵抗（接触抵抗）の低減化により、よりスムースな動き（移動）を確保できる。
【００１７】
（６）  好適な態様により、第一支持部４又は第二支持部６における第二スリット１６の周囲に段差によるガイド凹部１６ｓを設け、このガイド凹部１６ｓに係合させた係合盤部２６に第二係合ピン１５を貫通させるとともに、第二係合ピン１５の先端係合部２７と係合盤部２６間に第二スプリング１７を装着するようにすれば、第一支持部４に対して、ガタ付きやフラ付きの生じにくい、より安定したガイド性能を確保できる。
【００１８】
（７）  好適な態様により、光学機器ＰとしてプロジェクタＰｏに適用するようにすれば、プロジェクタＰｏに搭載するレンズシフト装置１におけるスムースな動き（移動）の確保、更には、プロジェクタＰｏのコストダウン，小型コンパクト化及び軽量化に寄与できるとともに、長期使用に対する信頼性及び安定性を高めることができる。
【発明を実施するための最良の形態】
【００１９】
次に、本発明に係る最良の実施形態を挙げ、図面に基づき詳細に説明する。
【００２０】
まず、本実施形態に係るレンズシフト装置１の構成について、図１〜図６を参照して説明する。
【００２１】
例示のレンズシフト装置１は、図２に示すような大型のプロジェクタＰｏ（光学機器Ｐ）に適用したものであり、このプロジェクタＰｏは、プロジェクタ本体Ｐｏｍと、このプロジェクタ本体Ｐｏｍに対して着脱する投射レンズ（交換レンズ）Ｌからなる。例示のプロジェクタＰｏは業務用であり、投射レンズＬは外径寸法が１０〔ｃｍ〕前後から１０〔ｃｍ〕を越える大型となる。投射レンズＬは、図１及び図２に示すように、レンズ鏡筒３１を備え、このレンズ鏡筒３１の外周面３１ｆには、フランジ部３２を一体に有するとともに、このフランジ部３２から後方に所定幅だけ離間した位置に四つの係止爪片部３３…を有する。なお、Ｐｃはプロジェクタキャビネット、ＰｃｏはプロジェクタキャビネットＰｃの前面に設けた交換レンズ着脱口を示す。そして、交換レンズ着脱口Ｐｃｏの後方であって、この交換レンズ着脱口Ｐｃｏの近傍に、本実施形態に係るレンズシフト装置１を配設する。
【００２２】
レンズシフト装置１は、投射レンズＬを着脱可能に支持するレンズ支持部２と、このレンズ支持部２を支持する第一支持部４と、この第一支持部４を支持する第二支持部６を備え、この第二支持部６はプロジェクタキャビネットＰｃの底面部の内面上に固定する。また、第二支持部６の前面には第一支持部４を支持する。第一支持部４は、第一支持部４と第二支持部６間に配設する第二ガイド機構５により垂直方向Ｆｖへ所定の移動ストロークにわたってガイドされる。したがって、この移動ストロークは投射レンズＬの垂直方向Ｆｖのシフト量に対応する。さらに、第一支持部４の前面にはレンズ支持部２を支持する。レンズ支持部２は、レンズ支持部２と第一支持部４間に配設する第一ガイド機構３により水平方向Ｆｈへ所定の移動ストロークにわたってガイドされる。したがって、この移動ストロークは投射レンズＬの水平方向Ｆｈのシフト量に対応する。
【００２３】
レンズ支持部２は、正面形状が略矩形となる平板状の支持盤部２１により形成し、四辺の全部（又は一部）には強度を高めるためのリブ部２１ｒを直角方向前方に一体形成する。また、支持盤部２１の略中央位置には、投射レンズＬが着脱するマウント部３５を設ける。マウント部３５は、固定リング部３６と、この固定リング部３６と支持盤部２１間に挟まれ、かつ固定リング部３６と同じ内径の回動リング部３７を備える。したがって、支持盤部２１にも回動リング部３７及び固定リング部３６と同径の開口部をを設ける。さらに、固定リング部３６，回動リング部３７及び支持盤部２１の開口部の内周面には、それぞれ四つの切欠凹部Ｋ…を形成する。なお、３８は、回動リング部３７に一体に設けた操作レバー部、３９はロック機構、３９ｓはロック機構のロック解除ボタンである。
【００２４】
第一支持部４は、正面形状が略矩形となる平板状の支持盤部２２により形成し、四辺の全部（又は一部）には強度を高めるためのリブ部２２ｒを直角方向前方に一体形成する。第一支持部４の垂直方向Ｆｖの幅寸法は、レンズ支持部２の幅寸法よりもやや長くし、かつ水平方向Ｆｈの幅寸法は、レンズ支持部２の移動量を許容できる幅寸法に選定する。また、支持盤部２２の略中央位置には開口部を設け、この開口部は、投射レンズＬの水平方向Ｆｈにおける移動量（シフト量）を許容できる大きさに選定する。
【００２５】
第二支持部６は、正面形状が略矩形となる平板状の支持盤部２３により形成し、四辺の全部（又は一部）には強度を高めるためのリブ部２３ｒを直角方向前方に一体形成する。第二支持部６の水平方向Ｆｈの幅寸法は、第一支持部４の幅寸法よりもやや長くし、かつ垂直方向Ｆｖの幅寸法は、第一支持部４の移動量を許容できる幅寸法に選定する。また、支持盤部２３の略中央位置には開口部を設け、この開口部は、投射レンズＬの水平方向Ｆｈ及び垂直方向Ｆｖにおける移動量（シフト量）を許容できる大きさに選定する。
【００２６】
そして、レンズ支持部２と第一支持部４間には第一ガイド機構３を配設する。第一ガイド機構３は、図３に示すように、レンズ支持部２の四隅の位置にそれぞれ配した四つの第一ガイド部１４…を備える。一つの第一ガイド部１４、即ち、図３中、右下隅部に配する第一ガイド部１４は、第一支持部４の面から起設する第一係合ピン１１と、レンズ支持部２の面に形成して第一係合ピン１１が係合する第一スリット１２と、第一係合ピン１１に装着してレンズ支持部２を第一支持部４を圧接させる第一スプリング１３を備える。この場合、第一スリット１２は、レンズ支持部２の隅部から水平方向Ｆｈに沿って形成し、その長さは投射レンズＬの水平方向Ｆｈのシフト量に対応させる。また、図５及び図６に示すように、第一スリット１２の周囲であってレンズ支持部２の前面（投射レンズＬ側）には、段差によるガイド凹部１２ｓを設けるとともに、レンズ支持部２の後面には、一部を盛上げて形成した接触部２ｃを設ける。接触部２ｃの形状は、図６に示すようにガイド凹部１２ｓの形状にほぼ一致させることができ、第一支持部４に対向する面は平坦面に形成する。
【００２７】
他方、第一支持部４の前面には、一部を盛上げて形成し、かつ接触部２ｃに面接触する接触部４ｃｆを設ける。接触部４ｃｆにおける接触部２ｃに対向する面は平坦面に形成し、形状や位置はレンズ支持部２の移動範囲において接触部２ｃに対して面接触するように選定する。また、第一係合ピン１１は、図６に示すように、内部にネジ孔を形成した筒形のピン本体部１１ｍと、大径の係合盤部２４を一体に有する係合カラー部１１ｃと、大径の先端係合部２５を一体に有する先端カラー部１１ｓを備える。なお、係合カラー部１１ｃは、特に摩擦係数の小さい素材により形成することが望ましい。
【００２８】
したがって、第一ガイド部１４は次のように組立てることができる。まず、第一支持部４の後面側から接触部４ｃｆの略中央位置に固定ネジ５１を貫通させ、ピン本体部１１ｍの一端に螺着することにより、接触部４ｃｆの略中央位置からピン本体部１１ｍを直角に起設する。そして、ピン本体部１１ｍを、レンズ支持部２の接触部２ｃ側から第一スリット１２に挿通させるとともに、ピン本体部１１ｍに対して先端側から係合カラー部１１ｃ，第一スプリング１３，先端カラー部１１ｓを順次装着し、装着後、固定ネジ５２をピン本体部１１ｍの他端（先端）に螺着する。これにより、係合カラー部１１ｃは第一スリット１２に係合し、当該第一スリット１２に沿ってガイドされるとともに、係合盤部２４はガイド凹部１２ｓに係合し、当該ガイド凹部１２ｓに沿ってガイドされる。なお、係合カラー部１１ｃ（係合盤部２４）はピン本体部１１ｍに対して回動自在である。また、先端係合部２５と係合盤部２４間に介在する第一スプリング１３により係合盤部２４が加圧されるため、係合盤部２４はガイド凹部１２ｓに圧接するとともに、接触部２ｃは接触部４ｃｆに圧接する。以上、右下隅部に配した一つの第一ガイド部１４の構成について説明したが、他の三つの第一ガイド部１４…、即ち、右上隅部，左上隅部及び左下隅部に配した第一ガイド部１４…も同様に構成する。
【００２９】
さらに、第一支持部４と第二支持部６間には第二ガイド機構５を配設する。第二ガイド機構５は、図３に示すように、第一支持部４の四隅の位置にそれぞれ配した四つの第二ガイド部１８…を備える。一つの第二ガイド部１８は、第二支持部６の面から起設する第二係合ピン１５と、第一支持部４の面に形成して第二係合ピン１５が係合する第二スリット１６と、第二係合ピン１５に装着して第一支持部４を第二支持部６に圧接させる第二スプリング１７を備える。この場合、第二スリット１６は、第一支持部４の隅部から垂直方向Ｆｖに沿って形成し、その長さは投射レンズＬの垂直方向Ｆｖのシフト量に対応させる。また、第一スリット１２の場合と同様に、第二スリット１６の周囲であって第一支持部４の前面には段差によるガイド凹部１６ｓを設けるとともに、第一支持部４の後面には、一部を盛上げて形成した接触部４ｃｒを設ける。接触部４ｃｒの形状は、ガイド凹部１６ｓの形状にほぼ一致させることができ、第二支持部６に対向する面は平坦面に形成する。
【００３０】
他方、第二支持部６の前面には、一部を盛上げて形成し、かつ接触部４ｃｒに面接触する接触部６ｃを設ける。接触部６ｃにおける接触部４ｃｒに対向する面は平坦面に形成し、形状や位置は第一支持部４の移動範囲において接触部４ｃｒに対して面接触するように選定する。また、第二係合ピン１５は第一係合ピン１１と同様に構成する。なお、第二係合ピン１５において、１５ｃは係合カラー部、２６は係合盤部、２７は先端係合部をそれぞれ示す。第二係合ピン１５の場合も、係合カラー部１５ｃが第二スリット１６に係合し、当該第二スリット１６に沿ってガイドされるとともに、係合盤部２６はガイド凹部１６ｓに係合し、当該ガイド凹部１６ｓに沿ってガイドされる。さらに、先端係合部２７と係合盤部２６間に介在する第二スプリング１７により係合盤部２６が加圧されるため、係合盤部２６はガイド凹部１６ｓに圧接するとともに、接触部４ｃｒは接触部６ｃに圧接する。以上、一つの第二ガイド部１８の構成について説明したが、他の三つの第一ガイド部１８…も同様に構成する。
【００３１】
一方、図３に仮想線で示すように、第一支持部４の図中右側の端部には、レンズ支持部２を水平方向Ｆｈへ移動させる第一移動部７を付設するとともに、第二支持部６の図中左側の端部には、第一支持部４（レンズ支持部２）を垂直方向Ｆｖへ移動させる第二移動部８を付設する。第一移動部７は、駆動モータ６１及びこの駆動モータ６１の回転運動を水平方向Ｆｈの直進運動に変換してレンズ支持部２に伝達する運動変換機構６２を備えるとともに、第二移動部８は、駆動モータ６３及びこの駆動モータ６３の回転運動を垂直方向Ｆｖの直進運動に変換して第一支持部４に伝達する運動変換機構６４を備える。なお、例示の第一移動部７及び第二移動部８は電動方式により構成したが、操作ダイヤル等を人為的に操作して移動させる手動方式により構成してもよい。
【００３２】
次に、本実施形態に係るレンズシフト装置１の機能（動作）について、各図を参照して説明する。
【００３３】
最初に、レンズ支持部２に投射レンズＬを装着する。この場合、回動リング部３７を図３に示す位置にセット、即ち、回動リング部３７の切欠凹部Ｋ…が固定リング部３６の切欠凹部Ｋ…に一致する位置に回動変位させれば、投射レンズＬのレンズ鏡筒３１を後端側からマウント部３５に挿入することができる。レンズ鏡筒３１をマウント部３５に挿入する際には、係止爪片部３３…を切欠凹部Ｋ…に挿入するとともに、フランジ部３２を固定リング部３６に当接させる。これにより、係止爪片部３３…は回動リング部３７の切欠凹部Ｋ…に位置するため、この状態で操作レバー部３８を図３の位置から右方へ回動操作すれば、回動リング部３７が回動変位し、係止爪片部３３…は固定リング部３６と支持盤部２１間に挟まれ、保持固定される。同時に、操作レバー部３８（回動リング部３７）の位置がロック機構３９により自動でロックされる。このように、投射レンズＬはレンズ支持部２に対してワンタッチで装着できる。一方、投射レンズＬを離脱する際には、ロック解除ボタン３９ｓを手で押せば、ロック機構３９のロックを解除できるため、ロック解除ボタン３９ｓを手で押した状態で操作レバー部３８を左方へ回動操作すれば、図３の状態に復帰させることができ、投射レンズＬを離脱することができる。
【００３４】
レンズシフト装置１の動作は次のように行われる。まず、第一移動部７の駆動モータ６１を駆動制御することにより、レンズ支持部２を水平方向Ｆｈへ移動させることができる。レンズ支持部２の移動時には、レンズ支持部２の四隅に形成した第一スリット１２…及びガイド凹部１２ｓ…は、それぞれ係合カラー部１１ｃ及び係合盤部２４により垂直方向Ｆｖの位置が規制され、かつ水平方向Ｆｈへ移動が許容されるため、レンズ支持部２を水平方向Ｆｈへ移動、即ち、投射レンズＬを水平方向Ｆｈへシフトさせることができる。この際、レンズ支持部２と第一支持部４には、一部を盛上げて形成した接触部２ｃと４ｃｆを設けたため、必要部位のみが面接触し、レンズ支持部２と第一支持部４間の摩擦抵抗（接触抵抗）の低減化により、よりスムースな動き（移動）が確保される。また、第一スリット１２の周囲に段差によるガイド凹部１２ｓを設け、このガイド凹部１２ｓに係合させた係合盤部２４に第一係合ピン１１を貫通させるとともに、第一係合ピン１１の先端係合部２５と係合盤部２４間に第一スプリング１３を装着したため、レンズ支持部２に対して、ガタ付きやフラ付きの生じにくい、より安定したガイド性能が確保される。
【００３５】
他方、第二移動部８の駆動モータ６３を駆動制御することにより、第一支持部４（レンズ支持部２）を垂直方向Ｆｖへ移動させることができる。第一支持部４の移動時には、第一支持部４の四隅に形成した第二スリット１６…及びガイド凹部１６ｓ…は、それぞれ係合カラー部１５ｃ及び係合盤部２６により水平方向Ｆｈの位置が規制され、かつ垂直方向Ｆｖへ移動が許容されるため、第一支持部４を垂直方向Ｆｖへ移動、即ち、投射レンズＬを垂直方向Ｆｖへシフトさせることができる。この際、第一支持部４と第二支持部６には、一部を盛上げて形成した接触部４ｃｒと６ｃを設けたため、必要部位のみが面接触し、第一支持部４と第二支持部６間の摩擦抵抗（接触抵抗）の低減化により、よりスムースな動き（移動）が確保される。また、第二スリット１６の周囲に段差によるガイド凹部１６ｓを設け、このガイド凹部１６ｓに係合させた係合盤部２６に第二係合ピン１５を貫通させるとともに、第二係合ピン１５の先端係合部２７と係合盤部２６間に第二スプリング１７を装着したため、第一支持部４に対して、ガタ付きやフラ付きの生じにくい、より安定したガイド性能が確保される。
【００３６】
このように、本実施形態に係るレンズシフト装置１によれば、レンズ支持部２と第一支持部４の一部の面同士を面接触させ、第一支持部４の面に第一係合ピン１１を起設し、かつレンズ支持部２の面に第一スリット１２を形成し、第一係合ピン１１に装着した第一スプリング１３によりレンズ支持部２を第一支持部４に圧接させてなる第一ガイド部１４を、レンズ支持部２の四隅位置にそれぞれ配して投射レンズＬを水平方向Ｆｈへシフトさせる第一ガイド機構３を構成するとともに、第一支持部４と第二支持部６の一部の面同士を面接触させ、第二支持部６の面に第二係合ピン１５を起設し、かつ第一支持部４の面に第二スリット１６を形成し、第二係合ピン１５に装着した第二スプリング１７により第一支持部４を第二支持部６に圧接させてなる第二ガイド部１８を、第一支持部４の四隅位置にそれぞれ配して投射レンズＬを垂直方向Ｆｖへシフトさせる第二ガイド機構５を構成したため、複数の第一スリット１２…及び第二スリット１６…は、それぞれ同一面内に一体形成可能となる。したがって、第一スリット１２…及び第二スリット１６…の長さは必要な移動ストローク分のみで足りるとともに、絶対精度及び相対精度を容易に高めることができ、ガイド機構全体のスムースな動き（移動）を確保できる。また、基本的には、第一係合ピン１１（第二係合ピン１５），第一スリット１２（第二スリット１６）及び第一スプリング１３（第二スプリング１７）により構成できるため、少ない部品点数及び小型部品で足りる。したがって、全体構成の小型コンパクト化、組付に係わる省スペース化、さらには軽量化を実現できるとともに、部品コスト及び組立コストの双方のコストダウンを図ることができる。また、第一スプリング１３（第二スプリング１７）によりレンズ支持部２を第一支持部４に（第一支持部４を第二支持部６に）圧接させるため、ガタ付き等の不良が生じにくく、長期使用に対する信頼性及び安定性を高めることができる。特に、光学機器Ｐとして、図２に示すようなプロジェクタＰｏに適用するようにすれば、プロジェクタＰｏに搭載するレンズシフト装置１におけるスムースな動き（移動）の確保、更には、プロジェクタＰｏのコストダウン，小型コンパクト化及び軽量化に寄与できるとともに、長期使用に対する信頼性及び安定性を高めることができる。
【００３７】
以上、最良の実施形態について詳細に説明したが、本発明は、このような実施形態に限定されるものではなく、細部の構成，形状，素材，数量，数値等において、本発明の要旨を逸脱しない範囲で、任意に変更，追加，削除することができる。例えば、レンズ支持部２，第一支持部４及び第二支持部６は、それぞれ平板状の支持盤部２１，２２，２３により形成した場合を示したが、その他、フレームの組合わせにより構成するなど、他の構造を排除するものではない。また、レンズ支持部２と第一支持部４の双方に接触部２ｃと４ｃｆを設けた場合を示したが、いずれか一方であってもよい。同様に、第一支持部４と第二支持部６の双方に接触部４ｃｒと６ｃを設けた場合を示したが、いずれか一方であってもよい。さらに、第一スプリング１３及び第二スプリング１７は、コイルスプリングを例示したが、板バネやゴム等の各種弾性部材を含む概念である。なお、光学機器Ｐには、プロジェクタＰｏを適用することが望ましいが、プロジェクタＰｏ以外の各種光学機器Ｐにも適用（利用）できる。
【図面の簡単な説明】
【００３８】
【図１】本発明の最良の実施形態に係るレンズシフト装置の一部抽出拡大図を含む側面断面構成図、
【図２】同レンズシフト装置を搭載するプロジェクタの一部外観図、
【図３】同レンズシフト装置の一部抽出拡大図を含む正面構成図、
【図４】同レンズシフト装置における第一ガイド部の断面側面図、
【図５】同レンズシフト装置における第一ガイド部の第一スリットの位置における断面正面図、
【図６】同レンズシフト装置における第一ガイド部の分解側面図、
【符号の説明】
【００３９】
１：レンズシフト装置，２：レンズ支持部，２ｃ：接触部，３：第一ガイド機構，４：第一支持部，４ｃｆ：接触部，４ｃｒ：接触部，５：第二ガイド機構，６：第二支持部，６ｃ：接触部，７：第一移動部，８：第二移動部，１１：第一係合ピン，１２：第一スリット，１２ｓ：ガイド凹部，１３：第一スプリング，１４：第一ガイド部，１５：第二係合ピン，１６：第二スリット，１６ｓ：ガイド凹部，１７：第二スプリング，１８：第二ガイド部，２１：支持盤部，２２：支持盤部，２３：支持盤部，２４：係合盤部，２５：先端係合部，２６：係合盤部，２７：先端係合部，Ｌ：投射レンズ，Ｆｈ：水平方向，Ｆｖ：垂直方向，Ｐ：光学機器，Ｐｏ：プロジェクタ
【図１】
2010097019.tif 000003
【図２】
2010097019.tif 000004
【図３】
2010097019.tif 000005
【図４】
2010097019.tif 000006
【図５】
2010097019.tif 000007
【図６】
2010097019.tif 000008